(57)【要約】【課題】無線通信システムにおける端末の制御信号送信方法を提供する。【解決手段】前記方法は、リソースインデックス、循環シフト個数、及び循環シフト間隔を獲得し、前記循環シフト個数は、前記循環シフト間隔の整数倍であり、前記循環シフト個数及び前記循環シフト間隔に基づいて循環シフトインデックスを決定し、前記循環シフトインデックスから得られる循環シフト量ほど基本シーケンスを循環シフトさせ、循環シフトされたシーケンスを生成し、前記循環シフトされたシーケンスと制御信号のためのシンボルに基づいて変調されたシーケンスを生成し、及び前記リソースインデックスから得られるリソースブロックで前記変調されたシーケンスをマッピングし、前記変調されたシーケンスを送信することを含む。【選択図】図１４
2011523248.tif 000002
【特許請求の範囲】
【請求項１】
無線通信システムにおける端末の制御信号送信方法において、
リソースインデックス、循環シフト個数、及び循環シフト間隔を獲得し、前記循環シフト個数は、前記循環シフト間隔の整数倍であり；
前記循環シフト個数及び前記循環シフト間隔に基づいて直交シーケンスインデックスを決定し；
前記循環シフト個数及び前記循環シフト間隔に基づいて循環シフトインデックスを決定し；
前記循環シフトインデックスから得られる循環シフト量ほど基本シーケンスを循環シフトさせ、循環シフトされたシーケンスを生成し；
前記循環シフトされたシーケンスと制御信号のためのシンボルに基づいて変調されたシーケンスを生成し；
前記直交シーケンスインデックスから得られる直交シーケンスに前記変調されたシーケンスを拡散させ、拡散されたシーケンスを生成し；及び、
前記リソースインデックスから得られるリソースブロックで前記拡散されたシーケンスをマッピングし、前記拡散されたシーケンスを送信することを含む方法。
【請求項２】
前記循環シフト個数は、他の端末の制御信号が多重化されるリソースブロックにおける循環シフト個数である請求項１に記載の方法。
【請求項３】
制御信号の類型は、前記他の端末の制御信号の類型と異なる請求項２に記載の方法。
【請求項４】
前記制御信号は、ＨＡＲＱ（ｈｙｂｒｉｄ  ａｕｔｏｍａｔｉｃ  ｒｅｐｅａｔ  ｒｅｑｕｅｓｔ）ＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）信号であり、前記他の端末の制御信号は、ＣＱＩ（ｃｈａｎｎｅｌ  ｑｕａｌｉｔｙ  ｉｎｄｉｃａｔｏｒ）である請求項３に記載の方法。
【請求項５】
前記制御信号は、ＳＲ（ｓｃｈｅｄｕｌｉｎｇ  ｒｅｑｕｅｓｔ）であり、前記他の端末の制御信号は、ＣＱＩである請求項３に記載の方法。
【請求項６】
前記制御信号は、ＰＵＣＣＨ（ｐｈｙｓｉｃａｌ  ｕｐｌｉｎｋ  ｃｏｎｔｒｏｌ  ｃｈａｎｎｅｌ）上に送信される請求項１に記載の方法。
【請求項７】
前記循環シフト間隔は、ＰＵＣＣＨに予約された２個の隣接する循環シフト間の最小間隔である請求項６に記載の方法。
【請求項８】
前記循環シフト個数及び前記循環シフト間隔は、基地局から受信される請求項１に記載の方法。
【請求項９】
前記リソースインデックスは、基地局から受信される請求項１に記載の方法。
【請求項１０】
前記制御信号は、ダウンリンクデータのためのＨＡＲＱ  ＡＣＫ／ＮＡＣＫ信号であり、前記リソースインデックスは、前記ダウンリンクデータの受信に使われる物理制御チャネルの無線リソースから獲得される請求項１に記載の方法。
【請求項１１】
前記リソースブロックは、複数の副搬送波及び複数のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含む請求項１に記載の方法。
【請求項１２】
前記直交シーケンスインデックスは、前記循環シフト個数、前記循環シフト間隔、及び前記リソースインデックスに基づいて決定される請求項１に記載の方法。
【請求項１３】
前記循環シフトインデックスは、前記循環シフト個数、前記循環シフト間隔、前記リソースインデックス、及び前記直交シーケンスインデックスに基づいて決定される請求項１に記載の方法。
【請求項１４】
前記変調されたシーケンスは、前記循環シフトされたシーケンスに前記制御信号のためのシンボルを掛けて生成される請求項１に記載の方法。
【請求項１５】
無線通信システムのための装置において、
無線信号を生成して送信する信号生成器；及び、
前記信号生成器と連結されたプロセッサーを含み、前記プロセッサーは、
リソースインデックス、循環シフト個数、及び循環シフト間隔を獲得し、前記循環シフト個数は、前記循環シフト間隔の整数倍であり；
前記循環シフト個数及び前記循環シフト間隔に基づいて循環シフトインデックスを決定し；
前記循環シフトインデックスから得られる循環シフト量ほど基本シーケンスを循環シフトさせ、循環シフトされたシーケンスを生成し；
前記循環シフトされたシーケンスと制御信号のためのシンボルに基づいて変調されたシーケンスを生成し；及び、
前記リソースインデックスから得られるリソースブロックで前記変調されたシーケンスをマッピングし、前記変調されたシーケンスを送信する装置。
【請求項１６】
無線通信システムにおけるアップリンク制御チャネル上に制御信号を送信する方法において、
アップリンク制御チャネルを設定し；及び、
前記アップリンク制御チャネル上に制御信号を送信することを含み、
前記アップリンク制御チャネルは、循環シフトされたシーケンス及び直交シーケンスに設定され、前記循環シフトされたシーケンスと前記直交シーケンスの各々は、循環シフト個数及び循環シフト間隔を利用して生成し、前記循環シフト個数は、前記循環シフト間隔の整数倍である方法。
【発明の詳細な説明】
【技術分野】
【０００１】
本発明は、無線通信に関し、より詳しくは、無線通信システムにおける制御信号送信方法に関する。
【背景技術】
【０００２】
無線通信システムは、音声やデータなどのような多様な種類の通信サービスを提供するために広範囲に展開されている。無線通信システムの目的は、複数のユーザが位置と移動性に関係なしに信頼できる（ｒｅｌｉａｂｌｅ）通信ができるようにすることである。ところが、無線チャネル（ｗｉｒｅｌｅｓｓ  ｃｈａｎｎｅｌ）は、経路損失（ｐａｔｈ  ｌｏｓｓ）、雑音（ｎｏｉｓｅ）、マルチパス（ｍｕｌｔｉｐａｔｈ）によるフェーディング（ｆａｄｉｎｇ）現象、シンボル間干渉（ＩＳＩ；ｉｎｔｅｒｓｙｍｂｏｌ  ｉｎｔｅｒｆｅｒｅｎｃｅ）または端末の移動性によるドップラー効果（Ｄｏｐｐｌｅｒ  ｅｆｆｅｃｔ）などの非理想的な特性がある。従って、無線チャネルの非理想的特性を克服し、無線通信の信頼度（ｒｅｌｉａｂｉｌｉｔｙ）を高めるために多様な技術が開発されている。
【０００３】
一般的に、無線通信システムは、可用の無線リソースを共有して多重ユーザとの通信がサポートできる多重接続（ｍｕｌｔｉｐｌｅ  ａｃｃｅｓｓ）システムである。無線リソースの例としては、時間、周波数、コード、送信パワーなどがある。多重接続システムの例としては、ＴＤＭＡ（ｔｉｍｅ  ｄｉｖｉｓｉｏｎ  ｍｕｌｔｉｐｌｅ  ａｃｃｅｓｓ）システム、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。ＴＤＭＡシステムでは、時間、ＦＤＭＡシステムでは、周波数、ＣＤＭＡシステムでは、コード、ＯＦＤＭＡシステムでは、副搬送波（ｓｕｂｃａｒｒｉｅｒ）及び時間が無線リソースである。
【０００４】
ＳＣ−ＦＤＭＡは、ＯＦＤＭＡと略同様な複雑性を有する一方、シングル搬送波特性（ｓｉｎｇｌｅ  ｃａｒｒｉｅｒ  ｐｒｏｐｅｒｔｙ）により一層低いＰＡＰＲ（ｐｅａｋ−ｔｏ−ａｖｅｒａｇｅ  ｐｏｗｅｒ  ｒａｔｉｏ）を有する。低いＰＡＰＲは、送信パワー効率側面で端末に有益であるため、ＳＣ−ＦＤＭＡは、３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ３６．２１１Ｖ８．２．０（２００８−０３）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｃｈａｎｎｅｌｓ  ａｎｄ  ｍｏｄｕｌａｔｉｏｎ（Ｒｅｌｅａｓｅ８）”の５節に開示した通り、３ＧＰＰ  ＬＴＥ（ｌｏｎｇ  ｔｅｒｍ  ｅｖｏｌｕｔｉｏｎ）でアップリンク送信に採択されている。
【０００５】
一方、多様なアップリンク制御信号がアップリンク制御チャネルを介して送信される。アップリンク制御信号としては、ＨＡＲＱ（ｈｙｂｒｉｄ  ａｕｔｏｍａｔｉｃ  ｒｅｐｅａｔ  ｒｅｑｕｅｓｔ）実行に使われるＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）信号、ダウンリンクチャネル状態を示すＣＱＩ（ｃｈａｎｎｅｌ  ｑｕａｌｉｔｙ  ｉｎｄｉｃａｔｏｒ）、アップリンク送信のための無線リソースの割当を要請するＳＲ（ｓｃｈｅｄｕｌｉｎｇ  ｒｅｑｕｅｓｔ）等、多様な種類がある。
【０００６】
セル内の複数の端末は、基地局に同時にアップリンク制御信号を送信することができる。基地局は、同時に送信された各端末毎のアップリンク制御信号が区別できるべきである。各端末毎のアップリンク制御信号が異なる周波数を使用して送信された場合、基地局は、これを区別することができる。ところが、セル内の複数の端末は、基地局に同じ時間−周波数リソースを使用してアップリンク制御信号を送信することができる。同じ時間−周波数リソースを使用して送信される各端末毎のアップリンク制御信号を区別するために、各端末毎にアップリンク制御信号送信にお互いに直交する（ｏｒｔｈｏｇｏｎａｌ）シーケンスを使用することができる。または、お互いに相関度（ｃｏｒｒｅｌａｔｉｏｎ）が低いシーケンスを使用することもできる。ところが、お互いに直交するシーケンスの個数またはお互いに相関度が低いシーケンスの個数は限定されている。即ち、周波数だけでなく、お互いに直交するシーケンスの個数またはお互いに相関度が低いシーケンスは、無線通信のための重要なリソースである。限定されたリソースが端末毎に適切に割り当てられることができなければ、システム性能を劣化させるおそれがある。
【０００７】
従って、限定されたリソースを效率的に使用することができるアップリンク制御信号送信方法を提供する必要がある。
【発明の概要】
【発明が解決しようとする課題】
【０００８】
本発明が解決しようとする技術的課題は、無線通信システムにおける制御信号送信方法を提供することである。
【課題を解決するための手段】
【０００９】
一態様において、無線通信システムにおける端末の制御信号送信方法が提供される。前記方法はリソースインデックス、循環シフト個数、及び循環シフト間隔を獲得し、前記循環シフト個数は、前記循環シフト間隔の整数倍であり、前記循環シフト個数及び前記循環シフト間隔に基づいて直交シーケンスインデックスを決定し、前記循環シフト個数及び前記循環シフト間隔に基づいて循環シフトインデックスを決定し、前記循環シフトインデックスから得られる循環シフト量ほど基本シーケンスを循環シフトさせ、循環シフトされたシーケンスを生成し、前記循環シフトされたシーケンスと制御信号のためのシンボルに基づいて変調されたシーケンスを生成し、前記直交シーケンスインデックスから得られる直交シーケンスに前記変調されたシーケンスを拡散させ、拡散されたシーケンスを生成し、及び前記リソースインデックスから得られるリソースブロックで前記拡散されたシーケンスをマッピングし、前記拡散されたシーケンスを送信することを含む。
【００１０】
好ましくは、前記循環シフト個数は、他の端末の制御信号が多重化されるリソースブロックにおける循環シフト個数である。
【００１１】
好ましくは、制御信号の類型は、前記他の端末の制御信号の類型と異なる。
【００１２】
好ましくは、前記制御信号は、ＨＡＲＱ（ｈｙｂｒｉｄ  ａｕｔｏｍａｔｉｃ  ｒｅｐｅａｔ  ｒｅｑｕｅｓｔ）ＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）信号であり、前記他の端末の制御信号は、ＣＱＩ（ｃｈａｎｎｅｌ  ｑｕａｌｉｔｙ  ｉｎｄｉｃａｔｏｒ）である。
【００１３】
好ましくは、前記制御信号は、ＳＲ（ｓｃｈｅｄｕｌｉｎｇ  ｒｅｑｕｅｓｔ）であり、前記他の端末の制御信号は、ＣＱＩである。
【００１４】
好ましくは、前記制御信号は、ＰＵＣＣＨ（ｐｈｙｓｉｃａｌ  ｕｐｌｉｎｋ  ｃｏｎｔｒｏｌ  ｃｈａｎｎｅｌ）上に送信される。
【００１５】
好ましくは、前記循環シフト間隔は、ＰＵＣＣＨに予約された２個の隣接する循環シフト間の最小間隔である。
【００１６】
好ましくは、前記循環シフト個数及び前記循環シフト間隔は、基地局から受信される。
【００１７】
好ましくは、前記リソースインデックスは、基地局から受信される。
【００１８】
好ましくは、前記制御信号は、ダウンリンクデータのためのＨＡＲＱ  ＡＣＫ／ＮＡＣＫ信号であり、前記リソースインデックスは、前記ダウンリンクデータの受信に使われる物理制御チャネルの無線リソースから獲得される。
【００１９】
好ましくは、前記リソースブロックは、複数の副搬送波及び複数のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含む。
【００２０】
好ましくは、前記直交シーケンスインデックスは、前記循環シフト個数、前記循環シフト間隔、及び前記リソースインデックスに基づいて決定される。
【００２１】
好ましくは、前記循環シフトインデックスは、前記循環シフト個数、前記循環シフト間隔、前記リソースインデックス、及び前記直交シーケンスインデックスに基づいて決定される。
【００２２】
好ましくは、前記変調されたシーケンスは、前記循環シフトされたシーケンスに前記制御信号のためのシンボルを掛けて生成される。
【００２３】
他の態様において、無線通信システムのための装置が提供される。前記装置は、無線信号を生成して送信する信号生成器、及び前記信号生成器と連結されたプロセッサーを含み、前記プロセッサーは、リソースインデックス、循環シフト個数、及び循環シフト間隔を獲得し、前記循環シフト個数は、前記循環シフト間隔の整数倍であり、前記循環シフト個数及び前記循環シフト間隔に基づいて循環シフトインデックスを決定し、前記循環シフトインデックスから得られる循環シフト量ほど基本シーケンスを循環シフトさせ、循環シフトされたシーケンスを生成し、前記循環シフトされたシーケンスと制御信号のためのシンボルに基づいて変調されたシーケンスを生成し、及び前記リソースインデックスから得られるリソースブロックで前記変調されたシーケンスをマッピングし、前記変調されたシーケンスを送信する。
【００２４】
また、他の態様において、無線通信システムにおけるアップリンク制御チャネル上に制御信号を送信する方法が提供される。前記方法は、アップリンク制御チャネルを設定し、及び前記アップリンク制御チャネル上に制御信号を送信することを含み、前記アップリンク制御チャネルは、循環シフトされたシーケンス及び直交シーケンスに設定され、前記循環シフトされたシーケンスと前記直交シーケンスの各々は、循環シフト個数及び循環シフト間隔を利用して生成し、前記循環シフト個数は、前記循環シフト間隔の整数倍である。
【発明の効果】
【００２５】
効率的な制御信号送信方法を提供する。従って、全体システム性能を向上させることができる。
【図面の簡単な説明】
【００２６】
【図１】無線通信システムを示す。
【図２】ＨＡＲＱ  ＡＣＫ／ＮＡＣＫ信号及びＣＱＩ送信を示す。
【図３】アップリンク送信を示す。
【図４】３ＧＰＰ  ＬＴＥにおける無線フレームの構造を示す。
【図５】３ＧＰＰ  ＬＴＥにおける一つのアップリンクスロットに対するリソースグリッドを示す例示図である。
【図６】３ＧＰＰ  ＬＴＥにおけるダウンリンクサブフレームの構造の例を示す。
【図７】３ＧＰＰ  ＬＴＥにおけるアップリンクサブフレームの構造の例を示す。
【図８】ノーマルＣＰの場合、ＰＵＣＣＨフォーマット１／１ａ／１ｂ送信の例を示す。
【図９】拡張されたＣＰの場合、ＰＵＣＣＨフォーマット１／１ａ／１ｂ送信の例を示す。
【図１０】ＰＵＣＣＨフォーマット２／２ａ／２ｂ送信の例を示す。
【図１１】アップリンク制御信号送信方法の例を示す流れ図である。
【図１２】ＰＵＣＣＨが割り当てられたリソースブロックの例を示す。
【図１３】本発明の一実施例に係る制御信号送信方法を示す流れ図である。
【図１４】ＰＵＣＣＨ設定方法を示すフローチャートである。
【図１５】本発明の他の実施例に係る無線通信のための装置を示すブロック図である。
【発明を実施するための形態】
【００２７】
以下の技術は、ＣＤＭＡ（ｃｏｄｅｄｉｖｉｓｉｏｎｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅｄｉｖｉｓｉｏｎｍｕｌｔｉｐｌｅ  ａｃｃｅｓｓ）、ＯＦＤＭＡ（ｏｒｔｈｏｇｏｎａｌｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）などのような多様な無線通信システムに使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術で具現されることができる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ８０２．１６（ＷｉＭＡＸ）、ＩＥＥＥ８０２．２０、Ｅ−ＵＴＲＡ（Ｅｖｏｌｖｅｄ  ＵＴＲＡ）などのような無線技術で具現されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。
【００２８】
説明を明確にするために、３ＧＰＰ  ＬＴＥを中心に記述するが、本発明の技術的思想がこれに制限されることではない。
【００２９】
図１は、無線通信システムを示す。
【００３０】
図１を参照すると、無線通信システム１０は、少なくとも一つの基地局１１（Ｂａｓｅ  Ｓｔａｔｉｏｎ；ＢＳ）を含む。各基地局１１は、特定の地理的領域（一般的にセルという）１５ａ、１５ｂ、１５ｃに対して通信サービスを提供する。また、セルは、複数の領域（セクターという）に分けられることができる。端末１２（Ｕｓｅｒ  Ｅｑｕｉｐｍｅｎｔ；ＵＥ）は、固定されたり移動性を有することができ、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることができる。基地局１１は、一般的に端末１２と通信する固定局（ｆｉｘｅｄ  ｓｔａｔｉｏｎ）をいい、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。
【００３１】
以下、ダウンリンク（ｄｏｗｎｌｉｎｋ；ＤＬ）は、基地局から端末への通信を意味し、アップリンク（ｕｐｌｉｎｋ；ＵＬ）は、端末から基地局への通信を意味する。ダウンリンクにおいて、送信機は基地局の一部分であり、受信機は端末の一部分である。アップリンクにおいて、送信機は端末の一部分であり、受信機は基地局の一部分である。
【００３２】
無線通信システムは、アップリンク及び／またはダウンリンクＨＡＲＱ（ｈｙｂｒｉｄ  ａｕｔｏｍａｔｉｃ  ｒｅｐｅａｔ  ｒｅｑｕｅｓｔ）をサポートすることができる。また、リンク適応（ｌｉｎｋ  ａｄａｐｔａｔｉｏｎ）のためにＣＱＩ（ｃｈａｎｎｅｌ  ｑｕａｌｉｔｙ  ｉｎｄｉｃａｔｏｒ）を使用することができる。
【００３３】
図２は、ＨＡＲＱ  ＡＣＫ／ＮＡＣＫ信号及びＣＱＩ送信を示す。
【００３４】
図２を参照すると、基地局からダウンリンクデータを受信した端末は、一定時間が経過した後にＨＡＲＱ  ＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）信号を送信する。ダウンリンクデータは、ＰＤＣＣＨ（Ｐｈｙｓｉｃａｌ  Ｄｏｗｎｌｉｎｋ  Ｃｏｎｔｒｏｌ  Ｃｈａｎｎｅｌ）により指示されるＰＤＳＣＨ（Ｐｈｙｓｉｃａｌ  Ｄｏｗｎｌｉｎｋ  Ｓｈａｒｅｄ  Ｃｈａｎｎｅｌ）上に送信されることができる。ＨＡＲＱ  ＡＣＫ／ＮＡＣＫ信号は、前記ダウンリンクデータが成功的にデコーディングされればＡＣＫ信号となり、前記ダウンリンクデータのデコーディングに失敗すればＮＡＣＫ信号となる。基地局は、ＮＡＣＫ信号が受信されれば、ＡＣＫ信号が受信されたり最大再送信回数まで前記ダウンリンクデータを再送信することができる。
【００３５】
ダウンリンクデータに対するＨＡＲＱ  ＡＣＫ／ＮＡＣＫ信号の送信時点やリソース割当は、基地局がシグナリングを介して動的に知らせることができ、またはダウンリンクデータの送信時点やリソース割当によって予め約束されることができる。例えば、ＦＤＤ（Ｆｒｅｑｕｅｎｃｙ  Ｄｉｖｉｓｉｏｎ  Ｄｕｐｌｅｘ）システムにおいて、ＰＤＳＣＨがｎ番目のサブフレームを介して受信されれば、前記ＰＤＳＣＨに対するＨＡＲＱ  ＡＣＫ／ＮＡＣＫ信号はｎ＋４番目のサブフレーム内のＰＵＣＣＨ（ｐｈｙｓｉｃａｌ  ｕｐｌｉｎｋ  ｃｏｎｔｒｏｌ  ｃｈａｎｎｅｌ）を介して送信されることができる。
【００３６】
端末は、ダウンリンクチャネル状態を測定し、周期的及び／または非周期的にＣＱＩを基地局に報告することができる。基地局は、ＣＱＩを利用してダウンリンクスケジューリングに使用することができる。基地局は、端末にＣＱＩの送信時点やリソース割当に関する情報を知らせることができる。
【００３７】
図３は、アップリンク送信を示す。
【００３８】
図３を参照すると、アップリンク送信のために、まず、端末は、基地局にＳＲ（Ｓｃｈｅｄｕｌｉｎｇ  Ｒｅｑｕｅｓｔ）を送る。ＳＲは、端末がアップリンク無線リソースの割当を基地局に要請することであり、データ交換のための事前情報交換の一種である。端末が基地局にアップリンクデータを送信するためには、まず、ＳＲを介して無線リソースの割当を要請する。
【００３９】
基地局は、ＳＲに対する応答としてアップリンクグラントを端末に送る。アップリンクグラントは、ＰＤＣＣＨ上に送信されることができる。アップリンクグラントは、アップリンク無線リソースの割当を含む。端末は、割り当てられたアップリンク無線リソースを介してアップリンクデータを送信する。
【００４０】
図２及び図３に示す通り、端末は、ＨＡＲＱ  ＡＣＫ／ＮＡＣＫ信号、ＣＱＩ及びＳＲのようなアップリンク制御信号を与えられた送信時点で送信することができる。制御信号の種類及び大きさは、システムによって変わることができ、本発明の技術的思想がこれに制限されることではない。
【００４１】
図４は、３ＧＰＰ  ＬＴＥにおける無線フレームの構造を示す。
【００４２】
図４を参照すると、無線フレーム（ｒａｄｉｏ  ｆｒａｍｅ）は、１０個のサブフレームで構成され、一つのサブフレームは、２個のスロット（ｓｌｏｔ）で構成される。無線フレーム内のスロットは、０から１９までスロット番号が付けられる。一つのサブフレームの送信にかかる時間をＴＴＩ（ｔｒａｎｓｍｉｓｓｉｏｎ  ｔｉｍｅ  ｉｎｔｅｒｖａｌ）という。ＴＴＩは、データ送信のためのスケジューリング単位ということができる。例えば、一つの無線フレームの長さは１０ｍｓであり、一つのサブフレームの長さは１ｍｓであり、一つのスロットの長さは０．５ｍｓである。
【００４３】
無線フレームの構造は、例示に過ぎず、無線フレームに含まれるサブフレームの数またはサブフレームに含まれるスロットの数等は多様に変更されることができる。
【００４４】
図５は、３ＧＰＰ  ＬＴＥにおける一つのアップリンクスロットに対するリソースグリッド（ｒｅｓｏｕｒｃｅｇｒｉｄ）を示す例示図である。
【００４５】
図５を参照すると、アップリンクスロットは、時間領域（ｔｉｍｅ  ｄｏｍａｉｎ）で複数のＳＣ−ＦＤＭＡシンボルを含み、周波数領域（ｆｒｅｑｕｅｎｃｙ  ｄｏｍａｉｎ）でＮＵＬリソースブロック（Ｒｅｓｏｕｒｃｅ  Ｂｌｏｃｋ；ＲＢ）を含む。ＳＣ−ＦＤＭＡシンボルは、一つのシンボル区間（ｓｙｍｂｏｌ  ｐｅｒｉｏｄ）を表現するためのものであり、システムによってＯＦＤＭＡシンボルまたはシンボル区間ということができる。リソースブロックは、リソース割当単位に周波数領域で複数の副搬送波を含む。アップリンクスロットに含まれるリソースブロックの数ＮＵＬは、セルで設定されるアップリンク送信帯域幅（ｂａｎｄｗｉｄｔｈ）に従属する。３ＧＰＰ  ＬＴＥにおけるＮＵＬは、６０ないし１１０のうちいずれか一つである。
【００４６】
リソースグリッド上の各要素（ｅｌｅｍｅｎｔ）をリソース要素（ｒｅｓｏｕｒｃｅ  ｅｌｅｍｅｎｔ）という。リソースグリッド上のリソース要素は、スロット内のインデックス対（ｐａｉｒ）（ｋ，）により識別されることができる。ここで、ｋ（ｋ＝０，．．．，ＮＵＬ×１２−１）は、周波数領域内の副搬送波インデックスであり、（＝０，．．．，６）は、時間領域内のＳＣ−ＦＤＭＡシンボルインデックスである。
【００４７】
ここで、一つのリソースブロックは、時間領域で７ＳＣ−ＦＤＭＡシンボル、周波数領域で１２副搬送波で構成される７×１２リソース要素を含むことを例示的に記述するが、リソースブロック内の副搬送波の数とＳＣ−ＦＤＭＡシンボルの数はこれに制限されることではない。リソースブロックが含むＳＣ−ＦＤＭＡシンボルの数または副搬送波の数は、多様に変更されることができる。ＳＣ−ＦＤＭＡシンボルの数は、ＣＰ（Ｃｙｃｌｉｃ  Ｐｒｅｆｉｘ）の長さによって変更されることができる。例えば、ノーマル（ｎｏｒｍａｌ）ＣＰの場合、ＳＣ−ＦＤＭＡシンボルの数は７であり、拡張された（ｅｘｔｅｎｄｅｄ）ＣＰの場合、ＳＣ−ＦＤＭＡシンボルの数は６である。
【００４８】
図５の３ＧＰＰ  ＬＴＥにおける一つのアップリンクスロットに対するリソースグリッドは、ダウンリンクスロットに対するリソースグリッドにも適用されることができる。ただし、ダウンリンクスロットは、時間領域で複数のＯＦＤＭシンボルを含む。
【００４９】
図６は、３ＧＰＰ  ＬＴＥにおけるダウンリンクサブフレームの構造の例を示す。
【００５０】
図６を参照すると、ダウンリンクサブフレームは、２個の連続的な（ｃｏｎｓｅｃｕｔｉｖｅ）スロットを含む。ダウンリンクサブフレーム内の最初スロットの前方部の最大３ＯＦＤＭシンボルがＰＤＣＣＨが割り当てられる制御領域（ｃｏｎｔｒｏｌ  ｒｅｇｉｏｎ）であり、残りのＯＦＤＭシンボルは、ＰＤＳＣＨが割り当てられるデータ領域（ｄａｔａ  ｒｅｇｉｏｎ）である。制御領域にはＰＤＣＣＨの以外にもＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）などの制御チャネルが割り当てられることができる。ＰＤＣＣＨは、ＰＤＳＣＨ上のダウンリンク送信のリソースの割当を知らせるダウンリンクグラントを運ぶことができる。端末は、ＰＤＣＣＨを介して送信される制御信号をデコーディングしてＰＤＳＣＨを介して送信されるデータ情報を読み込むことができる。ここで、制御領域が３ＯＦＤＭシンボルを含むことは例示に過ぎない。サブフレーム内の制御領域が含むＯＦＤＭシンボルの数は、ＰＣＦＩＣＨを介して分かる。ＰＨＩＣＨは、アップリンク送信の応答としてＨＡＲＱ  ＡＣＫ／ＮＡＣＫ信号を運ぶ。
【００５１】
制御領域は、複数のＣＣＥ（ｃｏｎｔｒｏｌ  ｃｈａｎｎｅｌ  ｅｌｅｍｅｎｔｓ）の集合で構成される。ＰＤＣＣＨは、一つまたは複数の連続的なＣＣＥの集団（ａｇｇｒｅｇａｔｉｏｎ）上に送信される。ＣＣＥは、複数のリソース要素グループ（ｒｅｓｏｕｒｃｅ  ｅｌｅｍｅｎｔ  ｇｒｏｕｐ）に対応される。リソース要素グループは、リソース要素への制御チャネルマッピングを定義するために使われる。ダウンリンクサブフレームにおいて、ＣＣＥの総数がＮＣＣＥであれば、ＣＣＥは０からＮＣＣＥ−１までＣＣＥインデックスが付けられる。
【００５２】
図７は、３ＧＰＰ  ＬＴＥにおけるアップリンクサブフレームの構造の例を示す。
【００５３】
図７を参照すると、アップリンクサブフレームは、アップリンク制御信号を運ぶＰＵＣＣＨ（ｐｈｙｓｉｃａｌ  ｕｐｌｉｎｋ  ｃｏｎｔｒｏｌ  ｃｈａｎｎｅｌ）が割り当てられる制御領域とユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられるデータ領域とに分けられる。ＳＣ−ＦＤＭＡでシングル搬送波特性を維持するために、一つの端末に周波数領域に連続的なリソースブロックをリソースとして割り当てる。一つの端末は、ＰＵＣＣＨとＰＵＳＣＨを同時に送信することができない。
【００５４】
一つの端末に対するＰＵＣＣＨは、サブフレームでリソースブロック対（ＲＢ  ｐａｉｒ）で割り当てられる。リソースブロック対に属するリソースブロックは、第１のスロット及び第２のスロットの各々で相違の副搬送波を占める。これをＰＵＣＣＨに割り当てられるリソースブロック対がスロット境界（ｓｌｏｔ  ｂｏｕｎｄａｒｙ）で周波数ホッピング（ｆｒｅｑｕｅｎｃｙ  ｈｏｐｐｉｎｇ）されるという。図７において、ｍは、サブフレーム内でＰＵＣＣＨに割り当てられたリソースブロックの周波数領域位置を示す位置インデックスである。
【００５５】
ＰＵＳＣＨは、送信チャネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＣＣＨ上で送信されるアップリンク制御信号は、ＨＡＲＱ  ＡＣＫ／ＮＡＣＫ信号、ダウンリンクチャネル状態を示すＣＱＩ、アップリンク無線リソース割当要請であるＳＲなどがある。
【００５６】
ＰＵＣＣＨは、多重フォーマットをサポートすることができる。即ち、変調方式（ｍｏｄｕａｌｔｉｏｎ  ｓｃｈｅｍｅ）によってサブフレーム当たり相違のビット数を有するアップリンク制御信号を送信することができる。次の表は、ＰＵＣＣＨフォーマットにともなう変調方式及びサブフレーム当たりビット数の例を示す。
【００５７】
【表１】
2011523248.tif 000003
【００５８】
ＰＵＣＣＨフォーマット１は、ＳＲの送信に使われ、ＰＵＣＣＨフォーマット１ａまたはフォーマット１ｂは、ＨＡＲＱ  ＡＣＫ／ＮＡＣＫ信号の送信に使われ、ＰＵＣＣＨフォーマット２は、ＣＱＩの送信に使われ、ＰＵＣＣＨフォーマット２ａ／２ｂは、ＣＱＩ及びＨＡＲＱ  ＡＣＫ／ＮＡＣＫ信号の送信に使われる。
【００５９】
任意のサブフレームでＨＡＲＱ  ＡＣＫ／ＮＡＣＫ信号が単独に送信される場合にはＰＵＣＣＨフォーマット１ａまたはフォーマット１ｂを使われ、ＳＲが単独に送信される場合にはＰＵＣＣＨフォーマット１を使用する。端末は、ＨＡＲＱ  ＡＣＫ／ＮＡＣＫ信号及びＳＲを同一サブフレームで送信することができる。肯定的な（ｐｏｓｉｔｉｖｅ）ＳＲ送信のために、端末は、ＳＲ用に割り当てられたＰＵＣＣＨリソースを介してＨＡＲＱ  ＡＣＫ／ＮＡＣＫ信号を送信し、否定的な（ｎｅｇａｔｉｖｅ）ＳＲ送信のために、端末は、割り当てられたＡＣＫ／ＮＡＣＫ用に割り当てられたＰＵＣＣＨリソースを介してＨＡＲＱ  ＡＣＫ／ＮＡＣＫ信号を送信する。
【００６０】
ＰＵＣＣＨ上に送信される制御信号は、循環シフトされたシーケンス（ｃｙｃｌｉｃａｌｌｙ  ｓｈｉｆｔｅｄ  ｓｅｑｕｅｎｃｅ）を利用する。循環シフトされたシーケンスは、基本シーケンス（ｂａｓｅ  ｓｅｑｕｅｎｃｅ）を特定ＣＳ量（ｃｙｃｌｉｃ  ｓｈｉｆｔ  ａｍｏｕｎｔ）ほど循環シフトさせて生成することができる。特定ＣＳ量は、循環シフトインデックス（ＣＳ  ｉｎｄｅｘ）により指示される。多様な種類のシーケンスが基本シーケンスとして使われることができる。例えば、ＰＮ（ｐｓｅｕｄｏ−ｒａｎｄｏｍ）シーケンス、ＺＣ（Ｚａｄｏｆｆ−Ｃｈｕ）シーケンスのようなよく知られたシーケンスを基本シーケンスとして使用することができる。または、コンピュータを介して生成されるＣＡＺＡＣ（Ｃｏｎｓｔａｎｔ  Ａｍｐｌｉｔｕｄｅ  Ｚｅｒｏ  Ａｕｔｏ−Ｃｏｒｒｅｌａｔｉｏｎ）を使用することができる。次の数式は、基本シーケンスの例である。
【００６１】
【数１】
2011523248.tif 000004
【００６２】
ここで、ｉ∈｛０，１，．．．，２９｝は、ルートインデックス（ｒｏｏｔ  ｉｎｄｅｘ）、ｎは、要素インデックスであり、０≦ｎ≦Ｎ−１、Ｎは、基本シーケンスの長さである。ｉは、セルＩＤ（ｉｄｅｎｔｉｔｙ）、無線フレーム内のスロット番号などにより決められることができる。一つのリソースブロックが１２副搬送波を含むとする時、Ｎは１２に設定することができる。他のルートインデックスによって他の基本シーケンスが定義される。Ｎ＝１２の時、ｂ（ｎ）は、次の表のように定義されることができる。
【００６３】
【表２】
2011523248.tif 000005
【００６４】
基本シーケンスｒ（ｎ）を次の数式のように循環シフトさせ、循環シフトされたシーケンスｒ（ｎ，Ｉｃｓ）を生成することができる。
【００６５】
【数２】
2011523248.tif 000006
【００６６】
ここで、Ｉｃｓは、ＣＳ量を示す循環シフトインデックスだ（０≦Ｉｃｓ≦Ｎ−１、Ｉｃｓは整数）。
【００６７】
以下、基本シーケンスの可用（ａｖａｉｌａｂｌｅ）ＣＳは、ＣＳ単位によって基本シーケンスから得る（ｄｅｒｉｖｅ）ことができるＣＳをいう。例えば、基本シーケンスの長さが１２であり、ＣＳ単位が１であれば、基本シーケンスの可用ＣＳの総数は１２になる。または、基本シーケンスの長さが１２であり、ＣＳ単位が２であれば、基本シーケンスの可用ＣＳの総数は６になる。ＣＳ単位は、遅延スプレッド（ｄｅｌａｙ  ｓｐｒｅａｄ）を考慮して決定されることができる。
【００６８】
図８は、ノーマルＣＰの場合、ＰＵＣＣＨフォーマット１／１ａ／１ｂ送信の例を示す。これは一つのサブフレーム内の第１のスロット及び第２のスロットに割り当てられたリソースブロック対を表すことである。
【００６９】
図８を参照すると、第１のスロット及び第２のスロットの各々は、７ＳＣ−ＦＤＭＡシンボルを含む。各スロットの７ＳＣ−ＦＤＭＡシンボルのうち、３ＳＣ−ＦＤＭＡシンボルにはＲＳ（ｒｅｆｅｒｅｎｃｅ  ｓｉｇｎａｌ）が載せ、残りの４ＳＣ−ＦＤＭＡシンボルには制御信号が載せる。ＲＳは、各スロット中間の３個の隣接する（ｃｏｎｔｉｇｕｏｕｓ）ＳＣ−ＦＤＭＡシンボルに載せる。このとき、ＲＳに使われるシンボルの個数及び位置は変わることができ、制御信号に使われるシンボルの個数及び位置もそれに応じて変更されることができる。
【００７０】
ＰＵＣＣＨフォーマット１、１ａ及び１ｂの各々は、一つの複素シンボル（ｃｏｍｐｌｅｘ−ｖａｌｕｅｄ  ｓｙｍｂｏｌ）ｄ（０）を使用する。基地局は、ＳＲを端末からのＰＵＣＣＨ送信の存在または不存在のみで分かる。従って、ＰＵＣＣＨフォーマット１のための複素シンボルｄ（０）として特定値、例えば、ｄ（０）＝１を使用することができる。ＰＵＣＣＨフォーマット１ａのための複素シンボルｄ（０）は、１ビットのＨＡＲＱ  ＡＣＫ／ＮＡＣＫ情報がＢＰＳＫ（Ｂｉｎａｒｙ  Ｐｈａｓｅ  Ｓｈｉｆｔ  Ｋｅｙｉｎｇ）変調されて生成される。ＰＵＣＣＨフォーマット１ｂのための複素シンボルｄ（０）は、２ビットのＨＡＲＱ  ＡＣＫ／ＮＡＣＫ情報がＱＰＳＫ（Ｑｕａｄｒａｔｕｒｅ  Ｐｈａｓｅ  Ｓｈｉｆｔ  Ｋｅｙｉｎｇ）変調されて生成される。
【００７１】
ＰＵＣＣＨフォーマット１／１ａ／１ｂのためな複素シンボルｄ（０）及び循環シフトされたシーケンスｒ（ｎ，Ｉｃｓ）に基づいて変調されたシーケンス（ｍｏｄｕｌａｔｅｄ  ｓｅｑｕｅｎｃｅ）ｙ（ｎ）を生成する。次の数式のように循環シフトされたシーケンスｒ（ｎ，Ｉｃｓ）に複素シンボルｄ（０）を掛けて変調されたシーケンスｙ（ｎ）を生成することができる。
【００７２】
【数３】
2011523248.tif 000007
【００７３】
循環シフトされたシーケンスｒ（ｎ，Ｉｃｓ）の循環シフトインデックスであるＩｃｓは、無線フレーム内のスロット番号（ｎｓ）及びスロット内のＳＣ−ＦＤＭＡシンボルインデックス（）によって変わることができる。従って、循環シフトインデックスＩｃｓは、Ｉｃｓ（ｎｓ，）で表現されることができる。ここでは、第１のスロットのスロット番号は０であり、第２のスロットのスロット番号は１とし、Ｉｃｓ（０，０）＝０、Ｉｃｓ（０，１）＝１、Ｉｃｓ（０，５）＝２、Ｉｃｓ（０，６）＝３、Ｉｃｓ（１，０）＝４、Ｉｃｓ（１，１）＝５、Ｉｃｓ（１，５）＝６及びＩｃｓ（１，６）＝７に設定しているが、これは例示に過ぎない。
【００７４】
端末容量を増加させるために、変調されたシーケンスｙ（ｎ）は、直交シーケンスを利用して拡散されることができる。ここでは、一つのスロット内の制御信号が載せる４ＳＣ−ＦＤＭＡシンボルに対して拡散係数（ｓｐｒｅａｄｉｎｇ  ｆａｃｔｏｒ）Ｋ＝４である直交シーケンスｗ（ｋ）を介して変調されたシーケンスｙ（ｎ）を拡散させることを開示している。
【００７５】
拡散係数Ｋ＝４である直交シーケンスｗＩｏｓ（ｋ）（Ｉｏｓは、直交シーケンスインデックス、０≦ｋ≦Ｋ−１）であり、次の表のようなシーケンスを使用することができる。
【００７６】
【表３】
2011523248.tif 000008
【００７７】
または、拡散係数Ｋ＝３である直交シーケンスｗＩｏｓ（ｋ）（Ｉｏｓは、直交シーケンスインデックス、０≦ｋ≦Ｋ−１）であり、次の表のようなシーケンスを使用することができる。
【００７８】
【表４】
2011523248.tif 000009
【００７９】
直交シーケンスインデックスＩｏｓは、無線フレーム内のスロット番号（ｎｓ）によって変わることができる。従って、直交シーケンスインデックスＩｏｓは、Ｉｏｓ（ｎｓ）で表現されることができる。
【００８０】
また、変調されたシーケンスｙ（ｎ）は、直交シーケンスを利用した拡散の以外にもスクランブルされることができる。例えば、変調されたシーケンスｙ（ｎ）に特定パラメーターによって１またはｊが掛けることができる。
【００８１】
ＲＳは、制御信号と同じ基本シーケンスから生成された循環シフトされたシーケンス及び直交シーケンスに基づいて生成することができる。循環シフトされたシーケンスを拡散係数Ｋ＝３である直交シーケンスｗ（ｋ）を介して拡散させてＲＳとして使用することができる。従って、端末が制御信号を送信するために、制御信号のための循環シフトインデックス及び直交シーケンスインデックスの以外にも、ＲＳのための循環シフトインデックス及び直交シーケンスインデックスも必要である。
【００８２】
図９は、拡張されたＣＰの場合、ＰＵＣＣＨフォーマット１／１ａ／１ｂ送信の例を示す。
【００８３】
図９を参照すると、第１のスロット及び第２のスロットの各々は、６ＳＣ−ＦＤＭＡシンボルを含む。各スロットの６ＳＣ−ＦＤＭＡシンボルのうち２ＳＣ−ＦＤＭＡシンボルにはＲＳが載せ、残りの４ＳＣ−ＦＤＭＡシンボルには制御信号が載せる。これを除外すれば、図８のノーマルＣＰの場合の例がそのまま適用される。ただし、ＲＳは、循環シフトされたシーケンスを拡散係数Ｋ＝２である直交シーケンスｗ（ｋ）を介して拡散させてＲＳで（に）使用することができる。
【００８４】
拡散係数Ｋ＝２である直交シーケンスｗＩｏｓ（ｋ）（Ｉｏｓは、直交シーケンスインデックス、０≦ｋ≦Ｋ−１）であり、次の表のようなシーケンスを使用することができる。
【００８５】
【表５】
2011523248.tif 000010
【００８６】
前述した通り、ノーマルＣＰ及び拡張されたＣＰの両方とも、ＰＵＣＣＨフォーマット１／１／ａ／１ｂ送信のために、次の情報が必要である。制御信号のための循環シフトインデックスＩｃｓ及び直交シーケンスインデックスＩｏｓ、ＲＳのための循環シフトインデックスＩ’ｃｓ及び直交シーケンスインデックスＩ’ｏｓが必要である。
【００８７】
図１０は、ＰＵＣＣＨフォーマット２／２ａ／２ｂ送信の例を示す。
【００８８】
図１０を参照すると、各スロットに含まれる７ＳＣ−ＦＤＭＡシンボルのうち２ＳＣ−ＦＤＭＡシンボルにはＲＳが載せ、残りの５ＳＣ−ＦＤＭＡシンボルにはＣＱＩが載せる。このとき、ＲＳに使われるシンボルの個数及び位置は変わることができ、ＣＱＩに使われるシンボルの個数及び位置もそれによって変更されることができる。
【００８９】
ＰＵＣＣＨフォーマット２、２ａ及び２ｂの各々は、サブフレーム当たり２０ビットのＣＱＩ情報を使用することができる。２０ビットのＣＱＩ情報は、ＱＰＳＫ変調を介して１０個の変調複素シンボルｄ（０）〜ｄ（９）でマッピングされる。ＰＵＣＣＨフォーマット２ａでは１ビットのＨＡＲＱ  ＡＣＫ／ＮＡＣＫ情報がＢＰＳＫ変調を介して１個の変調複素シンボルｄ（１０）でマッピングされる。ＰＵＣＣＨフォーマット２ｂでは２ビットのＨＡＲＱ  ＡＣＫ／ＮＡＣＫ情報がＱＰＳＫ変調を介して１個の変調複素シンボルｄ（１０）でマッピングされる。
【００９０】
変調複素シンボルｄ（０）〜ｄ（９）及び基本シーケンスから生成された循環シフトされたシーケンスｒ（ｎ，Ｉｃｓ）に基づいて変調されたシーケンスを生成する。循環シフトされたシーケンスｒ（ｎ，Ｉｃｓ）の循環シフトインデックスＩｃｓは、無線フレーム内のスロット番号（ｎｓ）及びスロット内のＳＣ−ＦＤＭＡシンボルインデックス（）によって変わることができる。従って、循環シフトインデックスＩｃｓは、Ｉｃｓ（ｎｓ，）で表現されることができる。ここでは、第１のスロットのスロット番号は０であり、第２のスロットのスロット番号は１に設定し、Ｉｃｓ（０，０）＝０、Ｉｃｓ（０，２）＝１、Ｉｃｓ（０，３）＝２、Ｉｃｓ（０，４）＝３、Ｉｃｓ（０，６）＝４、Ｉｃｓ（１，０）＝５、Ｉｃｓ（１，２）＝６、Ｉｃｓ（１，３）＝７、Ｉｃｓ（１，４）＝８及びＩｃｓ（１，６）＝９に設定しているが、これは例示に過ぎない。ＲＳは、制御信号と同じ基本シーケンスから生成された循環シフトされたシーケンスを利用することができる。ＰＵＣＣＨフォーマット２ａ及び２ｂの各々で、１個の変調複素シンボルｄ（１０）はＲＳ生成に使われる。
【００９１】
ＰＵＣＣＨフォーマット２／２ａ／２ｂは、ＰＵＣＣＨフォーマット１／１ａ／１ｂとは異なって直交シーケンスは使用しない。
【００９２】
図１１は、アップリンク制御信号送信方法の例を示す流れ図である。
【００９３】
図１１を参照すると、基地局は、端末にＰＵＣＣＨリソースに関するパラメーターを送信する（Ｓ１１０）。端末は、ＰＵＣＣＨリソースに関するパラメーターを利用してＰＵＣＣＨリソースを決定する（Ｓ１２０）。端末は、ＰＵＣＣＨリソースを利用して制御信号を送信する（Ｓ１３０）。
【００９４】
ＰＵＣＣＨリソースは、ＰＵＣＣＨを介してた制御信号送信に使われるリソースである。セル内の複数の端末は、基地局に同時に制御信号を送信することができる。このとき、各端末が相違のＰＵＣＣＨリソースを使用すると、基地局は、各端末毎の制御信号を区別することができる。ＰＵＣＣＨリソースは、ＰＵＣＣＨリソースインデックス（ｒｅｓｏｕｒｃｅ  ｉｎｄｅｘ）により識別される。ＰＵＣＣＨリソースインデックスから循環シフトインデックス及び周波数が決定される。また、直交シーケンスインデックスもＰＵＣＣＨリソースインデックスから決定されることができる。以下、ｎ（１）ＰＵＣＣＨは、第１のＰＵＣＣＨリソースインデックスであって、ＰＵＣＣＨフォーマット１／１ａ／１ｂのためのＰＵＣＣＨリソースインデックスであり、ｎ（２）ＰＵＣＣＨは、第２のＰＵＣＣＨリソースインデックスであって、ＰＵＣＣＨフォーマット２／２ａ／２ｂのためのＰＵＣＣＨリソースインデックスである。
【００９５】
ＰＵＣＣＨリソースに関するパラメーターは、物理階層（ｐｈｙｓｉｃａｌ  ｌａｙｅｒ）の上位階層（ｈｉｇｈｅｒ  ｌａｙｅｒ）により設定されることができる。例えば、上位階層は、端末とネットワークとの間に無線リソースを制御する役割を実行するＲＲＣ（Ｒａｄｉｏ  Ｒｅｓｏｕｒｃｅ  Ｃｏｎｔｒｏｌ）である。
【００９６】
ＰＵＣＣＨリソースに関するパラメーターにはリソースブロックの個数Ｎ（２）ＲＢ、循環シフト個数（ｔｈｅ  ｎｕｍｂｅｒ  ｏｆ  ＣＳｓ）Ｎ（１）ＣＳ、循環シフト間隔（ＣＳ  ｉｎｔｅｒｖａｌ）Δｓｈｉｆｔ及びＮ（１）ＰＵＣＣＨなどがある。前記パラメーターは、セル内のあらゆる端末に共通される共用（ｃｏｍｍｏｎ）パラメーターである。ＰＵＣＣＨに使われる物理的リソースは、リソースブロックの個数Ｎ（２）ＲＢ、循環シフト個数Ｎ（１）ＣＳに従属する（ｄｅｐｅｎｄｏｎ）。
【００９７】
リソースブロックの個数Ｎ（２）ＲＢは、各スロット内でＰＵＣＣＨフォーマット２／２ａ／２ｂのための送信にのみ使われることができるリソースブロックの個数である。
【００９８】
循環シフト個数Ｎ（１）ＣＳは、混合リソースブロック（ｍｉｘｅｄ  ＲＢ）内でＰＵＣＣＨフォーマット１／１ａ／１ｂのために使われる循環シフトの個数である。混合リソースブロックは、ＰＵＣＣＨフォーマット１／１ａ／１ｂ及び２／２ａ／２ｂの混合のために使われるリソースブロックである。各スロット内で一つ以下のリソースブロックが混合リソースブロックとしてサポートされる。基地局で受信されるリソースブロックにはセル内の複数の端末の各々のアップリンク制御情報が多重化されることができる。混合リソースブロックでは相違の類型の制御情報が多重化されることができる。例えば、混合リソースブロックでは一つの端末が送信するＨＡＲＱ  ＡＣＫ／ＮＡＣＫ信号と他の端末が送信するＣＱＩが多重化されることができる。また、混合リソースブロックでは一つの端末が送信するＳＲと他の端末が送信するＣＱＩが多重化されることができる。例えば、循環シフト個数Ｎ（１）ＣＳは０ないし８のうち一つの値に設定されることができる。もし、循環シフト個数Ｎ（１）ＣＳが０であれば、混合リソースブロックが存在しない。
【００９９】
循環シフト間隔Δｓｈｉｆｔは、ＰＵＣＣＨのために予約された２個の隣接する循環シフト間の最小間隔である。循環シフトインデックス間隔は、第１のＰＵＣＣＨリソースインデックス間の循環シフトインデックスの差を意味する。第１のＰＵＣＣＨリソースインデックスは、連続したり（ｃｏｎｓｅｃｕｔｉｖｅ）隣接する（ａｄｊａｃｅｎｔ）インデックスである。または、第１のＰＵＣＣＨリソースインデックスは、同じ直交シーケンスインデックスを使用するインデックスである。循環シフト間隔は、チャネル状況により決定されることができる。
【０１００】
Ｎ（１）ＰＵＣＣＨは、ＳＲとＳＰＳ（ｓｅｍｉ−ｐｅｒｓｉｓｔｅｎｔ  ｓｃｈｅｄｕｌｉｎｇ）ＡＣＫ／ＮＡＣＫ信号のために割り当てられる第１のＰＵＣＣＨリソースインデックスの個数である。ＳＰＳ  ＡＣＫ／ＮＡＣＫ信号は、半静的スケジューリングに送信されたダウンリンクデータに対するＡＣＫ／ＮＡＣＫ信号である。前記ダウンリンクデータがＰＤＳＣＨを介して送信される場合、前記ＰＤＳＣＨに対応するＰＤＣＣＨが存在しない。
【０１０１】
ＰＵＣＣＨリソースインデックスは、ＰＵＣＣＨリソースに関するパラメーターの組合せを介して割り当てられる。ＰＵＣＣＨリソースインデックス割当規則は、多様に具現されることができる。端末は、ＰＵＣＣＨリソースインデックスを基地局から受けたり、予め約束された規約を介して得ることができる。
【０１０２】
ＳＲとＳＰＳＡＣＫ／ＮＡＣＫ信号のための第１のＰＵＣＣＨリソースインデックスは、基地局が端末に知らせる。第２のＰＵＣＣＨリソースインデックスｎ（２）ＰＵＣＣＨも基地局が端末に知らせる。第２のＰＵＣＣＨリソースインデックスｎ（２）ＰＵＣＣＨは、次の数式を満たすことができる。
【０１０３】
【数４】
2011523248.tif 000011
【０１０４】
ここで、Ｎは、リソースブロックが含む副搬送波の個数である。ＮからＮ（１）ＣＳと２を引く理由は、混合リソースブロックで第１のＰＵＣＣＨリソースインデックスが使用する循環シフトインデックスとの干渉を防止するために２個の未割当循環シフトインデックスをおくためである。
【０１０５】
動的（ｄｙｎａｍｉｃ）ＡＣＫ／ＮＡＣＫ信号のための第１のＰＵＣＣＨリソースインデックスは、予め約束された規約を介して得ることができる。動的ＡＣＫ／ＮＡＣＫ信号は、動的スケジューリングに送信されたダウンリンクデータに対するＡＣＫ／ＮＡＣＫ信号である。動的スケジューリングは、基地局がＰＤＳＣＨを介してたダウンリンクデータを送信する時ごとに端末にＰＤＣＣＨを介してダウンリンクグラントを毎回送信することである。前記第１のＰＵＣＣＨリソースインデックスは、ダウンリンクデータ受信のための制御チャネルが送信される無線リソースから得ることができる。次の数式は、前記第１のＰＵＣＣＨリソースインデックスｎ（１）ＰＵＣＣＨを決定する例である。
【０１０６】
【数５】
2011523248.tif 000012
【０１０７】
ここで、ｎＣＣＥは、ＰＤＳＣＨに対するＰＤＣＣＨ送信に使われた最初ＣＣＥインデックスである。
【０１０８】
第１のＰＵＣＣＨリソースインデックスは、循環シフト個数Ｎ（１）ＣＳ及び循環シフト間隔Δｓｈｉｆｔの組合せを介して割り当てられる。制御信号のための循環シフトインデックスと直交シーケンスインデックスは、循環シフト個数Ｎ（１）ＣＳ及び循環シフト間隔Δｓｈｉｆｔに基づいて決定される。第１のＰＵＣＣＨリソースインデックスｎ（１）ＰＵＣＣＨも循環シフトインデックス及び直交シーケンスインデックス決定に利用されることができる。直交シーケンスインデックスは、循環シフトインデックス決定に利用されることができる。
【０１０９】
制御信号のための循環シフトインデックスＩｃｓ（ｎｓ）及び直交シーケンスインデックスＩｏｓ（ｎｓ）は、次の数式のように求めることができる。
【０１１０】
【数６】
2011523248.tif 000013
【０１１１】
ここで、ｃ（ｎ）は、ＰＮシーケンスであり、Ｎｓｙｍｂは、スロットが含むＳＣ−ＦＤＭＡシンボルの個数である。ｃ（ｎ）は、長さ−３１のゴールド（Ｇｏｌｄ）シーケンスにより定義されることができる。次の数式は、シーケンスｃ（ｎ）の例を示す。
【０１１２】
【数７】
2011523248.tif 000014
【０１１３】
ここで、ＮＣ＝１６００であり、ｘ１（ｉ）は、第１のｍ−シーケンスであり、ｘ２（ｉ）は、第２のｍ−シーケンスである。例えば、第１のｍ−シーケンス毎に無線フレームごとにセルＩＤによってｘ１（０）＝１、ｘ１（ｎ）＝０（ｎ＝１，２，…，３０）に初期化（ｉｎｉｔｉａｌｉｚａｔｉｏｎ）されることができる。または、第２のｍ−シーケンスは、セルＩＤによって各無線フレームごとに初期化されることができる。第２のｍ−シーケンスの初期化は、次の数式のように示すことができる。
【０１１４】
【数８】
2011523248.tif 000015
【０１１５】
ここで、Ｎｃｅｌｌ＿ＩＤは、セルＩＤである。
【０１１６】
ＲＳのための循環シフトインデックスＩ’ｃｓ（ｎｓ）及び直交シーケンスインデックスＩ’ｏｓ（ｎｓ）は、次の数式のように求めることができる。
【０１１７】
【数９】
2011523248.tif 000016
【０１１８】
図１２は、ＰＵＣＣＨが割り当てられたリソースブロックの例を示す。
【０１１９】
図１２を参照すると、リソースブロックの個数Ｎ（２）ＲＢは、２である場合である。従って、２個のリソースブロック（例えば、ｍ＝０，１）はＰＵＣＣＨフォーマット２／２ａ／２ｂのための送信にのみ使われる。ｍ＝２であるリソースブロックは、混合リソースブロックである。ｍ＝３であるリソースブロックは、ＰＵＣＣＨフォーマット１／１ａ／１ｂのための送信にのみ使われる。
【０１２０】
ＰＵＣＣＨリソースインデックスからＰＵＣＣＨに割り当てられたリソースブロック（または副搬送波）を求めることができる。サブフレーム内でＰＵＣＣＨに割り当てられたリソースブロックの周波数領域位置を示す位置インデックスｍは、次の数式のように求めることができる。
【０１２１】
【数１０】
2011523248.tif 000017
【０１２２】
以下、ＰＵＣＣＨリソースのためのパラメーターの組合せを介して第１のＰＵＣＣＨリソースインデックスｎ（１）ＰＵＣＣＨの割当の際、問題になるパラメーターの組合せの例を説明する。
【０１２３】
（１）第１の組合せの例
【０１２４】
第１の組合せの例は、拡張されたＣＰ、ＰＵＣＣＨフォーマット１／１ａ／１ｂのみをサポートするリソースブロックで循環シフト間隔Δｓｈｉｆｔ＝３である場合である。
【０１２５】
次の表は、第１の組合せの例に係る第１のＰＵＣＣＨリソースインデックスｎ（１）ＰＵＣＣＨの割当を示す。
【０１２６】
【表６】
2011523248.tif 000018
【０１２７】
ここで、Ｍ＋０からＭ＋７は、前記リソースブロックで割り当てられた８個の第１のＰＵＣＣＨリソースインデックスｎ（１）ＰＵＣＣＨである。例えば、第１のＰＵＣＣＨリソースインデックスがＭ＋７であれば、制御信号とＲＳのための循環シフトインデックスＩｃｓは０（ｄｏｆｆｓｅｔ＝０の場合）であり、制御信号及びＲＳのための直交シーケンスインデックスＩｏｓ、Ｉ’ｏｓは２である。Ｍは、前記リソースブロックの以前リソースブロックで割り当てられた第１のＰＵＣＣＨリソースインデックスｎ（１）ＰＵＣＣＨの個数である。以前リソースブロックとは、同一スロット内の前記リソースブロックの位置インデックスより小さい位置インデックスを有するリソースブロックである。例えば、以前リソースブロックは、混合リソースブロックである。循環シフト個数Ｎ（１）ＣＳが０であれば、混合リソースブロックが存在しないため、Ｍ＝０である。Ｍ＝０であれば、第１のＰＵＣＣＨリソースインデックスｎ（１）ＰＵＣＣＨが前記リソースブロックで最初に割り当てられる。
【０１２８】
第１のＰＵＣＣＨリソースインデックスＭ＋７は、インデックス順序が合わない問題がある。一貫性のためにインデックス順序に合うように変更することができる。しかし、Ｍ＋７を正しく修正することは容易ではない。この場合は、混合リソースブロックに後続するリソースブロックにおける第１のＰＵＣＣＨリソースインデックス割当の問題であるためである。インデックスＭ＝７は、性能に大きく影響がないため、このまま使用することができる。
【０１２９】
（２）第２の組合せの例
【０１３０】
第２の組合せの例は、ノーマルＣＰ、混合リソースブロックで循環シフト間隔Δｓｈｉｆｔ＝３、循環シフト個数Ｎ（１）ＣＳ＝８である場合である。
【０１３１】
次の表は、第２の組合せの例に係る第１のＰＵＣＣＨリソースインデックスｎ（１）ＰＵＣＣＨの割当を示す。
【０１３２】
【表７】
2011523248.tif 000019
【０１３３】
ここで、０から７は、前記混合リソースブロックで割り当てられた８個の第１のＰＵＣＣＨリソースインデックスｎ（１）ＰＵＣＣＨである。‘Ｎ／Ａ’とは、未割当（ｕｎａｌｌｏｃａｔｅｄ）循環シフトインデックスを示す。未割当循環シフトインデックスは、セル内のどの端末にも割り当てられない循環シフトインデックスを意味する。表で、ＩＣＱＩは、ＣＱＩ送信のために割り当てられる第２のＰＵＣＣＨリソースインデックスｎ（２）ＰＵＣＣＨを意味する。前記混合リソースブロックでは２個の第２のＰＵＣＣＨリソースインデックスが割り当てられる。
【０１３４】
第１のＰＵＣＣＨリソースインデックス５は、インデックス順序に合わない。また、第１のＰＵＣＣＨリソースインデックス０と５は、同じ循環シフトインデックスを使用する。また、第１のＰＵＣＣＨリソースインデックス６と７も配置に問題がある。従って、第１のＰＵＣＣＨリソースインデックス３、４、５、６及び７は、インデックス割当に問題がある。第２の組合せのように、第１のＰＵＣＣＨリソースインデックス間パターンが一様でなければ、干渉量が増加されることができる。これは無線通信システムの性能劣化を招くことができる。
【０１３５】
第２の組合せの例に係る第１のＰＵＣＣＨリソースインデックスｎ（１）ＰＵＣＣＨの割当を次の表のように変更して性能を改善することができる。
【０１３６】
【表８】
2011523248.tif 000020
【０１３７】
（３）第３組合せの例
【０１３８】
第３組合せの例は、拡張されたＣＰ、混合リソースブロックで循環シフト間隔Δｓｈｉｆｔ＝３、循環シフト個数Ｎ（１）ＣＳ＝８である場合である。
【０１３９】
次の表は、第３組合せの例に係る第１のＰＵＣＣＨリソースインデックスｎ（１）ＰＵＣＣＨの割当を示す。
【０１４０】
【表９】
2011523248.tif 000021
【０１４１】
ここで、０から５は、前記混合リソースブロックで割り当てられた６個の第１のＰＵＣＣＨリソースインデックスｎ（１）ＰＵＣＣＨである。前記混合リソースブロックでは２個の第２のＰＵＣＣＨリソースインデックスｎ（２）ＰＵＣＣＨが割り当てられる。
【０１４２】
第１のＰＵＣＣＨリソースインデックス５は、インデックス順序に合わなく、第１のＰＵＣＣＨリソースインデックス０と５は、同じ循環シフトインデックスを使用する。従って、第１のＰＵＣＣＨリソースインデックス３、４、及び５は、インデックス割当に問題がある。
【０１４３】
第３組合せの例に係る第１のＰＵＣＣＨリソースインデックスｎ（１）ＰＵＣＣＨの割当を次の表のように変更して性能を改善することができる。
【０１４４】
【表１０】
2011523248.tif 000022
【０１４５】
ところが、問題になるパラメーターの組合せで第１のＰＵＣＣＨリソースインデックスの割当を変更することは、前述したＰＵＣＣＨリソースインデックス割当規則の例外的な場合である。例外的な割当規則変更を具現するためには、無線通信システムの複雑度（ｃｏｍｐｌｅｘｉｔｙ）を増加させるだけでなく、追加的な費用が要求される。また、前述した問題になるパラメーターの組合せは例示に過ぎず、問題になるパラメーターの組合せはこれより多くてもよい。従って、例外的な割当規則の変更は、好ましい解決方法でない。
【０１４６】
問題になるパラメーターの組合せが出ないようにＰＵＣＣＨリソースインデックス割当規則自体を変更して公式化する方法もある。しかし、新しいＰＵＣＣＨリソースインデックス割当規則の公式化に成功し、具現が可能であるとしても投資した努力、費用に比べて得る性能改善効果は略なく、または少ない。従って、これを簡単に解決できる方法が必要である。
【０１４７】
問題になるパラメーターの組合せを使用することができないように制限したり、使用可能なパラメーターの組合せを設定すると、第１のＰＵＣＣＨリソースインデックス割当で発生できる問題を簡単に解決することができる。例えば、使用可能な循環シフト個数Ｎ（１）ＣＳを制限することができる。これによって、ノーマルＣＰ及び拡張されたＣＰで問題なしに第１のＰＵＣＣＨリソースインデックスを割り当てることができる。以下、ケース別に使用可能なパラメーターの組合せを設定する方法を説明する。
【０１４８】
第一、ノーマルＣＰ、混合リソースブロックで循環シフト間隔Δｓｈｉｆｔ＝３である場合を説明する。循環シフト個数Ｎ（１）ＣＳが２、４、５、７または８である場合、第１のＰＵＣＣＨリソースインデックスの割当の際に問題が発生する。従って、ノーマルＣＰ、循環シフト間隔Δｓｈｉｆｔ＝３である場合、循環シフト個数Ｎ（１）ＣＳとして２、４、５、７及び８を使用しないようにする。即ち、循環シフト個数Ｎ（１）ＣＳとして０、１、３または６を使用することができる。
【０１４９】
第二、拡張されたＣＰ、混合リソースブロックで循環シフト間隔Δｓｈｉｆｔ＝３である場合を説明する。ノーマルＣＰと同様に循環シフト個数Ｎ（１）ＣＳが２、４、５、７または８である場合、第１のＰＵＣＣＨリソースインデックスの割当の際に問題が発生する。従って、拡張されたＣＰ、循環シフト間隔Δｓｈｉｆｔ＝３である場合、ノーマルＣＰの場合と同様に循環シフト個数Ｎ（１）ＣＳとして０、１、３または６を使用することができる。
【０１５０】
従って、ＣＰの種類に関係なく、Δｓｈｉｆｔ＝３である場合、循環シフト個数Ｎ（１）ＣＳとして０、１、３または６を使用することができる。循環シフト個数Ｎ（１）ＣＳが０である場合には混合リソースブロックが存在しないため、循環シフト個数Ｎ（１）ＣＳとして０を使用することができる。循環シフト個数Ｎ（１）ＣＳが１である場合には一つの第１のＰＵＣＣＨリソースインデックスのみ存在するため、循環シフト個数Ｎ（１）ＣＳとして１を使用することができる。
【０１５１】
このとき、使用可能なパラメーター集合（ｓｅｔ）は、多様に構成されることができる。簡単な具現のために、循環シフト間隔Δｓｈｉｆｔ＝３である場合、使用可能な循環シフト個数Ｎ（１）ＣＳの集合は、｛３｝、｛６｝、｛０、３｝、｛０、６｝または｛０、３、６｝に設定されることができる。
【０１５２】
循環シフト個数Ｎ（１）ＣＳは、循環シフト間隔Δｓｈｉｆｔの倍数に決めることができる。これは次の数式のように具現されることができる。
【０１５３】
【数１１】
2011523248.tif 000023
【０１５４】
ここで、ｋは整数である。可能なｋの集合は、｛１｝、｛２｝、｛０、１｝、｛０、２｝、｛１、２｝または｛０、１、２｝に設定されることができる。これに伴い使用可能な循環シフト個数Ｎ（１）ＣＳの集合が多様に設定されることができる。
【０１５５】
循環シフト個数Ｎ（１）ＣＳによって混合リソースブロックで第２のＰＵＣＣＨリソースインデックスｎ（２）ＰＵＣＣＨが使用する循環シフトインデックス及び混合リソースブロックに割り当てられる第２のＰＵＣＣＨリソースインデックスｎ（２）ＰＵＣＣＨの個数（ＮＣＱＩ）が決まる。Δｓｈｉｆｔ＝３であり、混合リソースブロックで割り当てられる隣接する第２のＰＵＣＣＨリソースインデックス間循環シフトインデックス間の差を１である場合、循環シフト個数Ｎ（１）ＣＳとＮＣＱＩの関係は次の表のように表すことができる。
【０１５６】
【表１１】
2011523248.tif 000024
【０１５７】
循環シフト間隔Δｓｈｉｆｔ、循環シフト個数Ｎ（１）ＣＳと関連して混合リソースブロックで割り当てられる第２のＰＵＣＣＨリソースインデックスｎ（２）ＰＵＣＣＨの個数（ＮＣＱＩ）を設定することができる。即ち、混合リソースブロックで割り当てられる隣接する第２のＰＵＣＣＨリソースインデックス間循環シフトインデックス間の差をΔｓｈｉｆｔと同一に設定することができる。この場合、循環シフト個数Ｎ（１）ＣＳとＮＣＱＩの関係は、次の表のように表すことができる。
【０１５８】
【表１２】
2011523248.tif 000025
【０１５９】
ところが、循環シフト間隔Δｓｈｉｆｔ＝３によって使用可能な循環シフト個数Ｎ（１）ＣＳが０、１、３、６に制限される。
【０１６０】
この場合、循環シフト間隔Δｓｈｉｆｔ、循環シフト個数Ｎ（１）ＣＳとＮＣＱＩの使用可能なパラメーター集合は、次の表のように設定されることができる。
【０１６１】
【表１３】
2011523248.tif 000026
【０１６２】
前記表のように、使用可能なパラメーター集合が簡単であるため、具現方法が簡単になってシステムのオーバーヘッドを減らすことができる。
【０１６３】
図１３は、本発明の一実施例に係る制御信号送信方法を示す流れ図である。
【０１６４】
図１３を参照すると、基地局は、端末に循環シフト個数Ｎ（１）ＣＳ及び循環シフト間隔Δｓｈｉｆｔを送信する（Ｓ２１０）。このとき、Ｎ（１）ＣＳは６であり、Δｓｈｉｆｔは３である。即ち、Ｎ（１）ＣＳはΔｓｈｉｆｔの整数倍である。端末は、ＰＵＣＣＨを設定する（Ｓ２２０）。このとき、端末は、循環シフト個数Ｎ（１）ＣＳ及び循環シフト間隔Δｓｈｉｆｔを利用してＰＵＣＣＨを設定する。端末は、基地局にＰＵＣＣＨを介して制御信号を送信する（Ｓ２３０）。制御信号は、ＨＡＲＱ  ＡＣＫ／ＮＡＣＫ信号またはＳＲなどになることができる。
【０１６５】
図１４は、ＰＵＣＣＨ設定方法を示すフローチャートである。
【０１６６】
図１４を参照すると、端末は、リソースインデックス、循環シフト個数、及び循環シフト間隔を獲得する（Ｓ３１０）。ここで、リソースインデックスは、第１のＰＵＣＣＨリソースインデックスｎ（１）ＰＵＣＣＨである。端末は、循環シフト個数及び循環シフト間隔を利用して直交シーケンスインデックス及び循環シフトインデックスを各々決定する（Ｓ３２０）。端末は、循環シフトインデックスを利用して循環シフトされたシーケンスを生成する（Ｓ３３０）。循環シフトされたシーケンスは、基本シーケンスを循環シフトインデックスが指示するＣＳ量ほど循環シフトさせることによって生成される。端末は、循環シフトされたシーケンスと制御信号のためのシンボルに基づいて変調されたシーケンスを生成する（Ｓ３４０）。変調されたシーケンスは、循環シフトされたシーケンスを前記シンボルに掛けることによって生成されることができる。端末は、直交シーケンスインデックスを利用して拡散されたシーケンスを生成する（Ｓ３５０）。拡散されたシーケンスは、変調されたシーケンスを直交シーケンスインデックスが指示する直交シーケンスに拡散することによって生成される。端末は、拡散されたシーケンスをリソースブロックにマッピングする（Ｓ３６０）。前記リソースブロックは、リソースインデックスにより指示されるリソースブロックである。端末は、リソースブロックにマッピングされた拡散されるシーケンスを送信する。前記リソースブロックは、混合リソースブロックであってもよく、  ＰＵＣＣＨフォーマット１／１ａ／１ｂのための送信にのみ使われるリソースブロックであってもよい。
【０１６７】
図１５は、本発明の他の実施例に係る無線通信のための装置を示すブロック図である。この装置は、端末の一部である。
【０１６８】
図１５を参照すると、無線通信のための装置８００は、プロセッサー８１０、メモリー８２０及び信号生成器８４０を含む。メモリー８２０は、基本シーケンスを格納する。プロセッサー８１０は、メモリー８２０と連結され、制御チャネルを設定する。プロセッサー８１０は、前述した方法のように制御信号を処理して制御信号送信のためのＰＵＣＣＨを設定する。信号生成器８４０は、プロセッサー８１０で処理された制御信号からアンテナ８９０を介して送信するための無線信号を生成及び送信する。
【０１６９】
信号生成器８４０は、ＳＣ−ＦＤＭＡ方式の送信信号を生成することができ、このために、信号生成器８４０は、ＤＦＴ（Ｄｉｓｃｒｅｔｅ  Ｆｏｕｒｉｅｒ  Ｔｒａｎｓｆｏｒｍ）を実行するＤＦＴ部８４２、副搬送波マッパ８４４及びＩＦＦＴ（Ｉｎｖｅｒｓｅ  Ｆａｓｔ  ＦｏｕｒｉｅｒＴｒａｎｓｆｏｒｍ）を実行するＩＦＦＴ部８４６を含むことができる。ＤＦＴ部８４２は、入力されるシーケンスをＤＦＴを実行して周波数領域シンボルを出力する。副搬送波マッパ８４４は、周波数領域シンボルを各副搬送波にマッピングさせ、ＩＦＦＴ部８４６は、入力されるシンボルに対してＩＦＦＴを実行して時間領域信号を出力する。時間領域信号が送信信号になって、アンテナ８９０を介して送信される。信号生成器８４０を介して生成される時間領域信号をＳＣ−ＦＤＭＡ（ｓｉｎｇｌｅ  ｃａｒｒｉｅｒ−Ｆｒｅｑｕｅｎｃｙ  ｄｉｖｉｓｉｏｎ  ｍｕｌｔｉｐｌｅ  ａｃｃｅｓｓ）方式に時間領域信号を生成することができ、このとき、信号生成器８４０で出力される時間領域信号をＳＣ−ＦＤＭＡシンボルまたはＯＦＤＭＡシンボルという。
【０１７０】
このように、循環シフト間隔によって使用可能な循環シフト個数を制限することによって、ＰＵＣＣＨリソースインデックスが不適切に割り当てられることを防止することができる。この方法は、具現方法が非常に簡単な長所がある。これによって、各端末間に発生できる干渉を減らし、システムの性能劣化を防止することができる。従って、全体システムの性能を向上させることができる。
【０１７１】
前述したあらゆる機能は、前記機能を実行するようにコーディングされたソフトウェアやプログラムコードなどにともなうマイクロプロセッサー、制御器、マイクロ制御器、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのようなプロセッサーにより実行されることができる。前記コードの設計、開発及び具現は、本発明の説明に基づいて当業者に自明であるといえる。
【０１７２】
以上、本発明に対して実施例を参照して説明したが、該当技術分野の通常の知識を有する者は、本発明の技術的思想及び領域から外れない範囲内で本発明を多様に修正及び変更させて実施可能であることを理解することができる。従って、前述した実施例に限定されず、本発明は、特許請求の範囲内のあらゆる実施例を含む。
【図１】
2011523248.tif 000027
【図２】
2011523248.tif 000028
【図３】
2011523248.tif 000029
【図４】
2011523248.tif 000030
【図５】
2011523248.tif 000031
【図６】
2011523248.tif 000032
【図７】
2011523248.tif 000033
【図８】
2011523248.tif 000034
【図９】
2011523248.tif 000035
【図１０】
2011523248.tif 000036
【図１１】
2011523248.tif 000037
【図１２】
2011523248.tif 000038
【図１３】
2011523248.tif 000039
【図１４】
2011523248.tif 000040
【図１５】
2011523248.tif 000041
【手続補正書】
【提出日】平成22年10月18日(2010.10.18)
【手続補正１】
【補正対象書類名】明細書
【補正対象項目名】００２４
【補正方法】変更
【補正の内容】
【００２４】
また、他の態様において、無線通信システムにおけるアップリンク制御チャネル上に制御信号を送信する方法が提供される。前記方法は、アップリンク制御チャネルを設定し、及び前記アップリンク制御チャネル上に制御信号を送信することを含み、前記アップリンク制御チャネルは、循環シフトされたシーケンス及び直交シーケンスに設定され、前記循環シフトされたシーケンスと前記直交シーケンスの各々は、循環シフト個数及び循環シフト間隔を利用して生成し、前記循環シフト個数は、前記循環シフト間隔の整数倍である。
（項目１）
無線通信システムにおける端末の制御信号送信方法において、
リソースインデックス、循環シフト個数、及び循環シフト間隔を獲得し、前記循環シフト個数は、前記循環シフト間隔の整数倍であり；
前記循環シフト個数及び前記循環シフト間隔に基づいて直交シーケンスインデックスを決定し；
前記循環シフト個数及び前記循環シフト間隔に基づいて循環シフトインデックスを決定し；
前記循環シフトインデックスから得られる循環シフト量ほど基本シーケンスを循環シフトさせ、循環シフトされたシーケンスを生成し；
前記循環シフトされたシーケンスと制御信号のためのシンボルに基づいて変調されたシーケンスを生成し；
前記直交シーケンスインデックスから得られる直交シーケンスに前記変調されたシーケンスを拡散させ、拡散されたシーケンスを生成し；及び、
前記リソースインデックスから得られるリソースブロックで前記拡散されたシーケンスをマッピングし、前記拡散されたシーケンスを送信することを含む方法。
（項目２）
前記循環シフト個数は、他の端末の制御信号が多重化されるリソースブロックにおける循環シフト個数である項目１に記載の方法。
（項目３）
制御信号の類型は、前記他の端末の制御信号の類型と異なる項目２に記載の方法。
（項目４）
前記制御信号は、ＨＡＲＱ（ｈｙｂｒｉｄ  ａｕｔｏｍａｔｉｃ  ｒｅｐｅａｔ  ｒｅｑｕｅｓｔ）ＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）信号であり、前記他の端末の制御信号は、ＣＱＩ（ｃｈａｎｎｅｌ  ｑｕａｌｉｔｙ  ｉｎｄｉｃａｔｏｒ）である項目３に記載の方法。
（項目５）
前記制御信号は、ＳＲ（ｓｃｈｅｄｕｌｉｎｇ  ｒｅｑｕｅｓｔ）であり、前記他の端末の制御信号は、ＣＱＩである項目３に記載の方法。
（項目６）
前記制御信号は、ＰＵＣＣＨ（ｐｈｙｓｉｃａｌ  ｕｐｌｉｎｋ  ｃｏｎｔｒｏｌ  ｃｈａｎｎｅｌ）上に送信される項目１に記載の方法。
（項目７）
前記循環シフト間隔は、ＰＵＣＣＨに予約された２個の隣接する循環シフト間の最小間隔である項目６に記載の方法。
（項目８）
前記循環シフト個数及び前記循環シフト間隔は、基地局から受信される項目１に記載の方法。
（項目９）
前記リソースインデックスは、基地局から受信される項目１に記載の方法。
（項目１０）
前記制御信号は、ダウンリンクデータのためのＨＡＲＱ  ＡＣＫ／ＮＡＣＫ信号であり、前記リソースインデックスは、前記ダウンリンクデータの受信に使われる物理制御チャネルの無線リソースから獲得される項目１に記載の方法。
（項目１１）
前記リソースブロックは、複数の副搬送波及び複数のＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）シンボルを含む項目１に記載の方法。
（項目１２）
前記直交シーケンスインデックスは、前記循環シフト個数、前記循環シフト間隔、及び前記リソースインデックスに基づいて決定される項目１に記載の方法。
（項目１３）
前記循環シフトインデックスは、前記循環シフト個数、前記循環シフト間隔、前記リソースインデックス、及び前記直交シーケンスインデックスに基づいて決定される項目１に記載の方法。
（項目１４）
前記変調されたシーケンスは、前記循環シフトされたシーケンスに前記制御信号のためのシンボルを掛けて生成される項目１に記載の方法。
（項目１５）
無線通信システムのための装置において、
無線信号を生成して送信する信号生成器；及び、
前記信号生成器と連結されたプロセッサーを含み、前記プロセッサーは、
リソースインデックス、循環シフト個数、及び循環シフト間隔を獲得し、前記循環シフト個数は、前記循環シフト間隔の整数倍であり；
前記循環シフト個数及び前記循環シフト間隔に基づいて循環シフトインデックスを決定し；
前記循環シフトインデックスから得られる循環シフト量ほど基本シーケンスを循環シフトさせ、循環シフトされたシーケンスを生成し；
前記循環シフトされたシーケンスと制御信号のためのシンボルに基づいて変調されたシーケンスを生成し；及び、
前記リソースインデックスから得られるリソースブロックで前記変調されたシーケンスをマッピングし、前記変調されたシーケンスを送信する装置。
（項目１６）
無線通信システムにおけるアップリンク制御チャネル上に制御信号を送信する方法において、
アップリンク制御チャネルを設定し；及び、
前記アップリンク制御チャネル上に制御信号を送信することを含み、
前記アップリンク制御チャネルは、循環シフトされたシーケンス及び直交シーケンスに設定され、前記循環シフトされたシーケンスと前記直交シーケンスの各々は、循環シフト個数及び循環シフト間隔を利用して生成し、前記循環シフト個数は、前記循環シフト間隔の整数倍である方法。
【手続補正２】
【補正対象書類名】特許請求の範囲
【補正対象項目名】全文
【補正方法】変更
【補正の内容】
【特許請求の範囲】
【請求項１】
無線通信システムにおける端末のＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）信号送信方法において、
基地局から前記ＡＣＫ／ＮＡＣＫ信号の送信のための循環シフトインデックスの個数及び循環シフト間隔を受信し、前記循環シフトインデックスの個数は、前記循環シフト間隔の整数倍であり；
前記循環シフトインデックスの個数及び前記循環シフト間隔に基づいて前記ＡＣＫ／ＮＡＣＫ信号の送信に使われる直交シークエンスインデックス及び循環シフトインデックスを決定し；及び、
決定された前記直交シークエンスインデックス及び前記循環シフトインデックスを利用して前記基地局に前記ＡＣＫ／ＮＡＣＫ信号を送信することを含む方法。
【請求項２】
前記ＡＣＫ／ＮＡＣＫ信号を送信することは、
前記ＡＣＫ／ＮＡＣＫ信号をシークエンスに変調し、変調されたシークエンスを生成し、前記シークエンスは、前記決定された循環シフトインデックスに循環シフトされ；
前記決定された直交シークエンスインデックスから得られる直交シークエンスに前記変調されたシークエンスを拡散させ、拡散されたシンボルを生成し；及び、
前記拡散されたシンボルは、ＰＵＣＣＨ（ｐｈｙｓｉｃａｌ  ｕｐｌｉｎｋ  ｃｏｎｔｒｏｌ  ｃｈａｎｎｅｌ）を介して送信することを含む請求項１に記載の方法。
【請求項３】
前記循環シフトインデックスの個数は、リソースブロック内で前記ＡＣＫ／ＮＡＣＫ信号の送信に使われる循環シフトインデックスの個数に対応し、他の端末の制御信号が前記リソースブロックで多重化される請求項１に記載の方法。
【請求項４】
前記他の端末の制御信号は、ＡＣＫ／ＮＡＣＫ信号である請求項３に記載の方法。
【請求項５】
前記他の端末の制御信号は、ＣＱＩ（ｃｈａｎｎｅｌ  ｑｕａｌｉｔｙ  ｉｎｄｉｃａｔｏｒ）である請求項３に記載の方法。
【請求項６】
前記循環シフト間隔は、ＡＣＫ／ＮＡＣＫ信号送信に対応する２個の隣接する循環シフト間の最小間隔である請求項１に記載の方法。
【請求項７】
前記リソースブロックは、複数の副搬送波及び複数のＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）シンボルを含む請求項３に記載の方法。
【請求項８】
無線通信システムにおけるＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）信号を送信する端末において、
無線信号を生成して送信する信号生成器；及び、
前記信号生成器と連結されたプロセッサーを含み、前記プロセッサーは、
基地局から前記ＡＣＫ／ＮＡＣＫ信号の送信のための循環シフトインデックスの個数及び循環シフト間隔を受信し、前記循環シフトインデックスの個数は、前記循環シフト間隔の整数倍であり；
前記循環シフトインデックスの個数及び前記循環シフト間隔に基づいて前記ＡＣＫ／ＮＡＣＫ信号の送信に使われる直交シークエンスインデックス及び循環シフトインデックスを決定し；及び、
決定された前記直交シークエンスインデックス及び前記循環シフトインデックスを利用して前記基地局に前記ＡＣＫ／ＮＡＣＫ信号を送信する端末。
【請求項９】
前記プロセッサーは、
前記ＡＣＫ／ＮＡＣＫ信号をシークエンスに変調し、変調されたシークエンスを生成し、前記シークエンスは、前記決定された循環シフトインデックスに循環シフトされ；
前記決定された直交シークエンスインデックスから得られる直交シークエンスに前記変調されたシークエンスを拡散させ、拡散されたシンボルを生成し；及び、
前記拡散されたシンボルは、ＰＵＣＣＨ（ｐｈｙｓｉｃａｌ  ｕｐｌｉｎｋ  ｃｏｎｔｒｏｌ  ｃｈａｎｎｅｌ）を介して送信し、
前記ＡＣＫ／ＮＡＣＫ信号を送信する請求項８に記載の端末。
【請求項１０】
前記循環シフトインデックスの個数は、リソースブロック内で前記ＡＣＫ／ＮＡＣＫ信号の送信に使われる循環シフトインデックスの個数に対応し、他の端末の制御信号が前記リソースブロックで多重化される請求項８に記載の端末。
【請求項１１】
前記他の端末の制御信号は、ＡＣＫ／ＮＡＣＫ信号である請求項１０に記載の端末。
【請求項１２】
前記他の端末の制御信号は、ＣＱＩ（ｃｈａｎｎｅｌ  ｑｕａｌｉｔｙ  ｉｎｄｉｃａｔｏｒ）である請求項１０に記載の端末。
【請求項１３】
前記循環シフト間隔は、ＡＣＫ／ＮＡＣＫ信号送信に対応する２個の隣接する循環シフト間の最小間隔である請求項８に記載の端末。
【請求項１４】
前記リソースブロックは、複数の副搬送波及び複数のＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）シンボルを含む請求項１０に記載の端末。
【請求項１５】
無線通信システムにおけるアップリンク制御チャネル上にＡＣＫ／ＮＡＣＫ信号を送信する方法において、
アップリンク制御チャネルを設定し；及び、
前記アップリンク制御チャネル上に前記ＡＣＫ／ＮＡＣＫ信号を送信することを含み、
前記アップリンク制御チャネルは、
基地局から受信される循環シフトインデックスの個数及び循環シフト間隔に関する情報に基づいて前記ＡＣＫ／ＮＡＣＫ信号の送信に使われる直交シークエンスインデックス及び循環シフトインデックスを決定し、前記循環シフトインデックスの個数は、前記循環シフト間隔の整数倍であり；
前記ＡＣＫ／ＮＡＣＫ信号をシークエンスに変調し、変調されたシークエンスを生成し、前記シークエンスは、前記決定された循環シフトインデックスに循環シフトされ；
前記決定された直交シークエンスインデックスから得られる直交シークエンスに前記変調されたシークエンスを拡散させ、拡散されたシンボルを生成し；及び、
前記拡散されたシンボルは、ＰＵＣＣＨ（ｐｈｙｓｉｃａｌ  ｕｐｌｉｎｋ  ｃｏｎｔｒｏｌ  ｃｈａｎｎｅｌ）を介して送信し、
設定される方法。
【請求項１６】
前記アップリンク制御チャネルは、ＰＵＣＣＨ（ｐｈｙｓｉｃａｌ  ｕｐｌｉｎｋ  ｃｏｎｔｒｏｌ  ｃｈａｎｎｅｌ）である請求項１５に記載の方法。
【国際調査報告】
2011523248.tif 000042
2011523248.tif 000043